(57)【要約】【課題】携帯端末の表面を下向きにして載置面に載置した場合でも、音声を外部に伝えることができる携帯端末を提供することを目的とする。【解決手段】携帯端末１０は、表示装置１８の表カバー２１に連通孔２３が設けられ、連通孔２３に音孔部材２５が設けられている。この音孔部材２５は、表カバー２１の表面２１Ｃよりも突出され、第１音孔４１および第２音孔４２を有す。第１音孔４１は、表カバー２１の厚み方向に沿って設けられている。第２音孔４２は、表カバー２１の厚み方向に対して交差する方向に沿って設けられているとともに、開口面４３の開口下部４３Ａが表カバー２１の表面２１Ｃよりも筐体１１の内側に配置されている。【選択図】図４
2014216841.tif 000002
【特許請求の範囲】
【請求項１】
筐体と、
前記筐体に収容される回路基板と、
前記筐体の内部において前記回路基板に対して平行に配置され、前記筐体の外側に露呈する表示装置と、
前記表示装置の表カバーに設けられ、前記筐体の内外を連通する連通孔と、
前記回路基板に接続され、前記連通孔を通じて音声を前記筐体の外部に出力する音声出力部と、
前記連通孔に設けられ、前記表カバーの表面よりも突出するとともに第１音孔および第２音孔を有する音孔部材と、を備え、
前記第１音孔は前記表カバーの厚み方向に沿って設けられ、
前記第２音孔は前記表カバーの厚み方向に対して交差する方向に沿って設けられているとともに、開口面の一部が前記表カバーの表面よりも前記筐体の内側に配置されている携帯端末。
【請求項２】
請求項１に記載の携帯端末において、
前記音孔部材の外側に設けられた鍔部と、
前記音声出力部を保持するホルダと、を有し、
前記鍔部が、前記表カバーの裏面および前記ホルダ間に挟持されている携帯端末。
【請求項３】
請求項２に記載の携帯端末において、
前記音孔部材の周部における前記表カバーの裏面および前記ホルダ間に介装される枠状の防水部材を有し、
前記鍔部が前記防水部材の内側に配置される携帯端末。
【発明の詳細な説明】
【技術分野】
【０００１】
本発明は、筐体の内部に音声出力部が収容され、表示装置を覆う表カバーに連通孔が設けられ、音声出力部で出力された音声を連通孔から外部に伝える携帯端末に関する。
【背景技術】
【０００２】
携帯端末は、筐体の表面側に表示装置が設けられ、表示装置が表カバーで覆われ、表カバーの上方に受信用のレシーバ音孔が設けられ、レシーバ音孔に対峙させて音声出力部が筐体の内部に設けられている。この音声出力部から出力された音声がレシーバ音孔を経て筐体の外部に伝えられる（特許文献１）。
【先行技術文献】
【特許文献】
【０００３】
【特許文献１】特開２０１０−１０３５８５号公報（段落００１３、段落００１５、図１）
【発明の概要】
【発明が解決しようとする課題】
【０００４】
しかし、特許文献１の携帯端末は、携帯端末の表面を下向きにして載置面に載置した場合、レシーバ音孔が載置面に対面するように配置されることが考えられる。この場合、レシーバ音孔が載置面で塞がれてしまい、音声出力部から出力された音声がレシーバ音孔を経て筐体の外部に伝え難くなり、音声が外側に聞こえ難くなる虞がある。
【０００５】
本発明は、前述した課題を解決するためになされたものであり、その目的は、携帯端末の表面を下向きにして載置面に載置した場合でも、音声を外部に伝えることができる携帯端末を提供することにある。
【課題を解決するための手段】
【０００６】
本発明の携帯端末は、筐体と、前記筐体に収容される回路基板と、前記筐体の内部において前記回路基板に対して平行に配置され、前記筐体の外側に露呈する表示装置と、前記表示装置の表カバーに設けられ、前記筐体の内外を連通する連通孔と、前記回路基板に接続され、前記連通孔を通じて音声を前記筐体の外部に出力する音声出力部と、前記連通孔に設けられ、前記表カバーの表面よりも突出するとともに第１音孔および第２音孔を有する音孔部材と、を備え、前記第１音孔は前記表カバーの厚み方向に沿って設けられ、前記第２音孔は前記表カバーの厚み方向に対して交差する方向に沿って設けられているとともに、開口面の一部が前記表カバーの表面よりも前記筐体の内側に配置されている。
【０００７】
表示装置の表カバーに連通孔を設け、連通孔に音孔部材を表カバーの表面よりも突出するように設けた。また、音孔部材に第２音孔を表カバーの厚み方向に対して交差する方向に沿って設け、第２音孔の開口面の一部を表カバーの表面よりも筐体の内側に配置した。
よって、第２音孔の開口面の残りの部分を表カバーの表面よりも筐体の外側に配置できる。
【０００８】
これにより、表カバーの表面を下向きにして携帯端末を載置面に載置した場合でも、第２音孔の開口面の残りの部分を載置面で塞がないように確保できる。開口面の残りの部分を開放状態に保つことにより、音声出力部から出力された音声を残りの部分を通じて外部に伝えることができる。すなわち、音声を外部に聞こえるようにでき音声出力性を確保できる。
【０００９】
さらに、第２音孔の開口面の一部を表カバーの表面よりも筐体の内側に配置することにより、開口面の一部を表カバーで隠すことができる。これにより、開口面の外部への露出を少なく抑えることができ携帯端末のデザイン性を確保できる。
すなわち、本発明の携帯端末によれば、携帯端末の表面を下向きにして載置面に載置した場合に音声を外部に伝えることができ、かつ、携帯端末のデザイン性を確保できる。
【００１０】
本発明の携帯端末は、前記音孔部材の外側に設けられた鍔部と、前記音声出力部を保持するホルダと、を有し、前記鍔部が、前記表カバーの裏面および前記ホルダ間に挟持されている。
【００１１】
音孔部材の外側に鍔部を設け、鍔部を表カバーおよびホルダ間に挟持させた。よって、音孔部材に外部から押圧力が作用した場合に、鍔部が表カバーから離れないようにできる。これにより、表カバーおよびホルダ間に鍔部を挟持させる簡単な構成で音孔部材を筐体に確実に保持できる。
【００１２】
本発明の携帯端末は、前記音孔部材の周部における前記表カバーの裏面および前記ホルダ間に介装される枠状の防水部材を有し、前記鍔部が前記防水部材の内側に配置される。
【００１３】
表カバーおよびホルダ間に枠状の防水部材を介装し、防水部材の内側に鍔部を配置した。これにより、筐体の内部において防水部材の外側の領域を連通孔から仕切り、防水部材の外側の領域の防水性を確実に確保できる。
【発明の効果】
【００１４】
本発明の携帯端末によれば、表カバーの表面よりも突出させた音孔部材に第２音孔を設け、第２音孔の開口面の残りの部分を表カバーの表面よりも筐体の外側に配置した。これにより、表カバーの表面を下向きにして携帯端末を載置面に載置した場合に、開口面の残りの部分を開放状態に保ち、音声出力部から出力された音声を残りの部分を通じて外部に伝えることができる。
【図面の簡単な説明】
【００１５】
【図１】本発明に係る携帯端末を示す斜視図
【図２】図１の携帯端末を示す分解斜視図
【図３】図２のＩ部拡大図
【図４】図１のＩＩーＩＩ線断面図
【図５】図１のＩＩＩーＩＩＩ線断面図
【図６】図４のＩＶ部拡大図
【図７】図４の携帯端末から表カバーおよび音孔部材を分解した状態を示す断面図
【発明を実施するための形態】
【００１６】
以下、本発明の実施形態に係る携帯端末について図面を参照して説明する。
図１および図２に示すように、携帯端末１０は、筐体１１と、筐体１１に収容される回路基板１２と、回路基板１２に設けられた音声出力部１３と、音声出力部１３を保持するホルダ１５と、回路基板１２に対して平行に配置された表示装置１８とを備えている。
さらに、携帯端末１０は、図３に示すように、表示装置１８を覆う表カバー２１と、表カバー２１に設けられた連通孔２３と、連通孔２３に設けられた音孔部材２５と、表カバー２１およびホルダ１５間に介装される枠状の防水部材２８とを備えている。
【００１７】
筐体１１は、図２に示すように、略矩形状体に形成され、表面側の筐体開口部１１Ａが開口されている。
図４に示すように、回路基板１２は、筐体１１の筐体開口部１１Ａ（図２参照）側から筐体１１の内部２９に収容され、筐体１１の底部１１Ｂに対して略平行に配置されている。回路基板１２に音声出力部１３が接続されている。音声出力部１３は、レシーバおよびスピーカを兼用する部材で、連通孔２３を通じて音声を筐体１１の外部３１に出力する機能を備えている。
【００１８】
図４および図５に示すように、音声出力部１３が筐体１１の開口側からホルダ１５で保持されている。ホルダ１５は、音声出力部１３の気室を作るための部材である。このホルダ１５は、音声出力部１３の出力部位１４および連通孔２３を連通する音声案内路１６と、ホルダ１５の表面１５Ａから表カバー２１に向けて突出された位置決め突起１７とを有する。
音声案内路１６は、音声出力部１３の出力部位１４から出力した音声を連通孔２３に案内する案内路である。位置決め突起１７は、音声案内路１６の外側に設けられている。
【００１９】
筐体１１の内部２９においてホルダ１５の上方に配置され、かつ、回路基板１２に対して平行に表示装置１８が配置されている。表示装置１８は、筐体１１の外側に露呈されて画像を表示可能な表示面１９を有する。表示面１９が表カバー２１で覆われている。
図２に戻って、表カバー２１は、表示面１９に表示された画像を表示可能な板部材であり、筐体１１の筐体開口部１１Ａを覆うように筐体１１の外枠と同形の略矩形状に形成されている。表カバー２１の上端部２１Ａに受信用の連通孔２３が設けられ、表カバー２１の下端部２１Ｂに送信用の送信孔３３が設けられている。
【００２０】
図４および図５に戻って、連通孔２３は、表示装置１８の表カバー２１に設けられることにより、筐体１１の内部２９および筐体１１の外部３１を連通するレシーバ音孔である。具体的には、連通孔２３は、ホルダ１５の音声案内路１６を経て音声出力部１３（出力部位１４）に連通されている。
表カバー２１の表面２１Ｃ側に上面取部２３Ａが形成され、表カバー２１の裏面２１Ｄ側に下面取部２３Ｂが形成されている。この連通孔２３に音孔部材２５が設けられている。
【００２１】
図４および図６に示すように、音孔部材２５は、一対の短壁部３５および一対の長壁部３６で筒状に形成された筒部３４と、筒部３４の上端部３４Ａを覆う上部３７と、各短壁部３５から外側に向けて張り出された鍔部３８と、各長壁部３６から下方に突出された突起３９とを有する。この音孔部材２５は、筒部３４の上端部３４Ａおよび上部３７が表カバー２１の表面２１Ｃよりも外側に突出されている。
【００２２】
さらに、音孔部材２５は、上部３７に形成された複数の第１音孔４１と、各長壁部３６の上端部３６Ａに形成された複数の第２音孔４２とを有する。第１音孔４１は、表カバー２１の厚み方向（矢印Ａ方向）に沿って上部３７に設けられている。この第１音孔４１は、表カバー２１の表面２１Ｃよりも筐体１１の外側に配置されている。第１音孔４１によって筐体１１の内部２９および筐体１１の外部３１が連通されている。
【００２３】
第２音孔４２は、表カバー２１の厚み方向に対して交差する方向（矢印Ｂ方向）に沿って長壁部３６の上端部３６Ａに設けられている。この第２音孔４２は、第２音孔４２の開口面４３の一部（開口下部）４３Ａが表カバー２１の表面２１Ｃよりも筐体１１の内側に配置されている。ここで、第２音孔４２の中心が表カバー２１の表面２１Ｃに沿わせることが好ましい。
【００２４】
開口面４３の中心を表カバー２１の表面２１Ｃに沿わせることにより、開口面４３の開口下部４３Ａと、開口面４３の残りの部分（開口上部）４３Ｂとをそれぞれ半分に分けることができる。
よって、開口面４３の下側半分の形状となる開口下部４３Ａを表カバー２１で隠すことができる。これにより、開口面４３の外部への露出を少なく抑えることができ携帯端末１０のデザイン性を確保できる。
【００２５】
また、第２音孔４２の開口下部４３Ａのみを表カバー２１の表面２１Ｃよりも筐体１１の内側に配置することにより、開口面４３の開口上部４３Ｂが表カバー２１の表面２１Ｃよりも外側に配置されている。
加えて、連通孔２３は、表カバー２１の表面２１Ｃ側に上面取部２３Ａが形成されている（図６参照）。よって、開口面４３のうち、開口上部４３Ｂより大きな面積を表カバー２１の外側に露出させることができる。
【００２６】
これにより、図５に示すように、表カバー２１の表面２１Ｃを下向きにして携帯端末１０を載置面４６に載置した場合でも、開口面４３の開口上部４３Ｂ（図６参照）や、開口面４３のうち上面取部２３Ａで開放された部分を載置面４６で塞がないように確保できる。
開口上部４３Ｂなどを開放状態に保つことにより、音声出力部１３から出力された音声を開口上部４３Ｂを通じて外部に矢印Ｃ（図６も参照）の如く伝えることができる。すなわち、音声を外部に聞こえるようにでき音声出力性を確保できる。
【００２７】
図４に戻って、音孔部材２５の外側に設けられた一対の鍔部３８は、表カバー２１の裏面２１Ｄに両面テープ４７で接着されている。この状態で、一対の鍔部３８が表カバー２１の裏面２１Ｄおよびホルダ１５の位置決め突起１７間に挟持されている。
よって、音孔部材２５に携帯端末１０の外部３１から押圧力Ｆが作用した場合に、一対の鍔部３８が表カバー２１から離れないようにできる。これにより、表カバー２１およびホルダ１５間に一対の鍔部３８を挟持させる簡単な構成で音孔部材２５を筐体１１に確実に保持できる。
【００２８】
さらに、各長壁部３６の下端部３６Ｂから突起３９が下方に突出されている。各突起３９は、防水部材２８（具体的には連結部５１（図３、図６参照））を上方から押さえ付ける部位である。
表カバー２１およびホルダ１５間に枠状の防水部材２８が介装されている。
【００２９】
図７に示すように、防水部材２８は、ホルダ１５の表面１５Ａに載置可能に略矩形状の枠体に形成され、枠体の内側に開口部５２が形成され、開口部５２の中央が連結部５１（図３も参照）で連結されている。開口部５２の中央を連結部５１で連結することにより、防水部材２８が補強される。開口部５２は、表カバー２１の連通孔２３に連通され、かつ、ホルダ１５の声案内路１６に連通されている。
【００３０】
図４に再び戻って、防水部材２８は、音孔部材２５の周部２５Ａの外側において、表カバー２１（裏面２１Ｄ）およびホルダ１５（表面１５Ａ）間に介装されている。防水部材２８の連結部５１（図３も参照）が音孔部材２５の各突起３９で押圧されている。よって、防水部材２８が表カバー２１（裏面２１Ｄ）およびホルダ１５（表面１５Ａ）間に確実に介装される。
また、例えば、連結部５１の裏面(筐体１１の内部側)をホルダ１５に当接可能に形成することにより、音孔部材２５の各突起３９を連結部５１を介してホルダ１５で受け、音孔部材２５に作用する外力を鍔部３８とともに一層良好に支えることが可能である。
【００３１】
この状態において、防水部材２８の内側に一対の鍔部３８が配置され、かつ、ホルダ１５の一対の位置決め突起１７が配置される。よって、一対の位置決め突起１７で防水部材２８を一対の鍔部３８の外側に位置決めできる。これにより、筐体１１の内部において防水部材２８の外側の領域を連通孔２３から仕切り、防水部材２８の外側の領域の防水性を確実に確保できる。
【００３２】
なお、本発明に係る携帯端末は、前述した実施形態に限定されるものではなく適宜変更、改良等が可能である。
例えば、前記実施形態では、携帯端末１０をタブレットタイプに適用した例について説明したが、これに限らないで、折り畳みタイプやスライドタイプの携帯端末に適用することも可能である。
【００３３】
また、前記実施形態で使用した携帯端末、筐体、回路基板、音声出力部、ホルダ、表示装置、表カバー、連通孔、音孔部材、防水部材、鍔部、第１音孔および第２音孔等の形状や構成は例示したものに限定するものではなく適宜変更が可能である。
【産業上の利用可能性】
【００３４】
本発明は、表示装置を覆う表カバーに連通孔が設けられ、音声出力部で出力された音声を連通孔から外部に伝える携帯端末への適用に好適である。
【符号の説明】
【００３５】
１０  携帯端末
１１  筐体
１２  回路基板
１３  音声出力部
１５  ホルダ
１８  表示装置
２１  表カバー
２１Ｃ  表カバーの表面
２１Ｄ  表カバーの裏面
２３  連通孔
２５  音孔部材
２５Ａ  音孔部材の周部
２８  防水部材
２９  筐体の内部
３８  鍔部
４１  第１音孔
４２  第２音孔
４３  開口面
４３Ａ  開口面の一部
【図１】
2014216841.tif 000003
【図２】
2014216841.tif 000004
【図３】
2014216841.tif 000005
【図４】
2014216841.tif 000006
【図５】
2014216841.tif 000007
【図６】
2014216841.tif 000008
【図７】
2014216841.tif 000009